(57)【特許請求の範囲】
【請求項１】
複数のセグメント型擁壁(SRW)ブロックを多段に積重ねて形成したモルタル塗りしていない擁壁において、
前記SRWブロックが、前記擁壁の露出面の一部を形成する前面と、２つの連結部とを有した正面ユニットと、
前記正面ユニットの連結部に対して相補形に形成された２つの連結部を有し、前記擁壁によって保持される盛土に対面するアンカーユニットとを具備しており、
前記アンカーユニットと正面ユニットの各々が上荷重支持面と下荷重支持面とを有し、前記上荷重支持面は、積重ねられたブロックの下荷重支持面と係合し、前記上下荷重支持面は隣接するSRWブロックの間の剪断力に抵抗するために概ね平坦に形成されており、前記剪断力は、前記擁壁によって保持される盛土によって前記SRWブロックに作用し、前記アンカーユニットおよび正面ユニットは、前記連結部を介して互いに組付けられたときに、該アンカーユニットおよび正面ユニットの内面によって前記上荷重支持面から前記下荷重支持面まで鉛直方向に延びる中空部が画成されるようになっているモルタル塗りしていない擁壁。
【請求項２】
前記SRWブロックの幾つかの正面ユニットおよびアンカーユニットは異なる材料から形成されており、前記アンカーユニットが前記正面ユニットよりも比較的低い品質の材料から形成されている請求項１に記載のモルタル塗りしていない擁壁。
【請求項３】
前記SRWブロックの幾つかのアンカーユニットがリサイクルされた材料から形成されている請求項２に記載のモルタル塗りしていない擁壁。
【請求項４】
前記SRWブロックの幾つかのアンカーユニットがプラスチック製である請求項２に記載のモルタル塗りしていない擁壁。
【請求項５】
前記SRWブロックの幾つかの正面ユニットが湿式成形法(wetcast)、乾式成形法(drycast)或いは押出成形法で形成されている請求項１に記載のモルタル塗りしていない擁壁。
【請求項６】
前記SRWブロックの幾つかの正面ユニットが表面-ベース舗装機を用いて形成され、前面が比較的高い品質のベニア層から形成され、該正面ユニットの残りの部分が比較的低い品質の材料から形成されている請求項１に記載のモルタル塗りしていない擁壁。
【請求項７】
前記SRWブロックの幾つかの正面ユニットとアンカーユニットの少なくとも一方がコンクリート製である請求項１に記載のモルタル塗りしていない擁壁。
【請求項８】
前記SRWブロックの幾つかのアンカーユニットが、第１と第２の脚部を有して略Ｕ字形に形成されており、該第１と第２の脚部の先端に連結部が設けられている請求項１に記載のモルタル塗りしていない擁壁。
【請求項９】
前記SRWブロックの幾つかの前面略Ｕ字形のアンカーユニットの第１と第２の脚部が前SRWブロックの側面を形成する請求項８に記載のモルタル塗りしていない擁壁。
【請求項１０】
前記SRWブロックの幾つかの前面略Ｕ字形のアンカーユニットの第１と第２の脚部が、該アンカーユニットを持上げるときに役立つ手掛かりとなる凹所を含む請求項８に記載のモルタル塗りしていない擁壁。
【請求項１１】
前記SRWブロックの幾つかの前面略Ｕ字形のアンカーユニットの第１と第２の脚部が、該アンカーユニットを補強するために、２つの横部材によって連結されている請求項８に記載のモルタル塗りしていない擁壁。
【請求項１２】
複数のセグメント型擁壁(SRW)ブロックから成るモルタル塗りしていない擁壁を形成するための予め形成されたブロック要素において、
前記擁壁の露出面の一部を形成する前面であって異なるパターンが形成されている前面と、２つの連結部とを有した複数の正面ユニットと、
前記正面ユニットの連結部に対して相補形に形成された２つの連結部を有し、前記擁壁によって保持される盛土に対面するユニバーサルデザインの複数のアンカーユニットとを具備しており、
前記アンカーユニットおよび正面ユニットは、前記連結部によって互いに組付けてセグメント型擁壁(SRW)ブロックとすることができ、前記アンカーユニットと正面ユニットの各々は、互いに組付けてSRWブロックを形成したときに、該アンカーユニットおよび正面ユニットの内面によって中空部が画成されると共に、複数のSRWブロックから成る列状に積重ねて擁壁を形成可能となり、
前記アンカーユニットと正面ユニットの各々が上荷重支持面と下荷重支持面とを有し、前記上荷重支持面は、積重ねられたブロックの下荷重支持面と係合し、前記上下荷重支持面は、前記擁壁によって保持される盛土によって前記SRWブロックに作用する隣接するSRWブロックの間の剪断力に抵抗するために概ね平坦に形成されている予め形成されたブロック要素。
【請求項１３】
前記正面ユニットの幾つかは、各々４つの連結部を含む請求項１２に記載の予め形成されたブロック要素。
【請求項１４】
前記アンカーユニットの２つの連結部は同じサイズである請求項１２に記載の予め形成されたブロック要素。
【請求項１５】
前記各アンカーユニットと前記各正面ユニットの連結部は緩く連結されており、前記アンカーユニットと正面ユニットとは、連結が外れることなく相対動作可能となっている請求項１２に記載の予め形成されたブロック要素。
【請求項１６】
モルタル塗りしていない擁壁を形成するための複数の要素から成るセグメント型擁壁ブロックにおいて、
前記擁壁の露出面の一部を形成する前面と、概ね平坦に形成され２つの連結部を形成する凹所を有した後面とを有した正面ユニットと、
第１と第２の脚部を有して略Ｕ字形に形成されており、該第１と第２の脚部の先端に前記正面ユニットの連結部に対して相補形に形成された２つの連結部が設けられ、前記擁壁によって保持される盛土に対面するアンカーユニットとを具備しており、
前記アンカーユニットと正面ユニットの各々が上荷重支持面と下荷重支持面とを有し、前記上荷重支持面は、積重ねられたブロックの下荷重支持面と係合し、前記上下荷重支持面は隣接するSRWブロックの間の剪断力に抵抗するために概ね平坦に形成されており、前記剪断力は、前記擁壁によって保持される盛土によって前記SRWブロックに作用し、前記アンカーユニットおよび正面ユニットは、前記連結部を介して互いに組付けられSRWブロックとされたときに、該アンカーユニットおよび正面ユニットの内面によって前記上荷重支持面から前記下荷重支持面まで鉛直方向に延びる中空部が画成されるようになっているモルタル塗りしていないセグメント型擁壁ブロック。
【請求項１７】
前記正面ユニットが対設された側面を有しており、該側面の少なくとも一方が、前記前面に対して後方へ内側に傾斜し、前記擁壁の前面を湾曲させるように、隣接するブロックをつなげるようにした請求項１６に記載のセグメント型擁壁ブロック。
【請求項１８】
前記側面の他方が、前記前面に対して略垂直となっており、前記擁壁の末端ブロックを形成するようになっている請求項１７に記載のセグメント型擁壁ブロック。
【請求項１９】
前記側面の双方が後方へ内側に傾斜している請求項１７に記載のセグメント型擁壁ブロック。
【請求項２０】
前記正面ユニットの連結部が細長いキー溝状に形成されており、前記アンカーユニットの連結部が、前記キー溝内で摺動可能な細長いキー状に形成されている請求項１６に記載のセグメント型擁壁ブロック。
【請求項２１】
前記キー溝とキーが、前記正面ユニットとアンカーユニットの全高に亘って延設されており、前記キー溝が前記正面ユニットに鉛直方向の通路として形成されている請求項２０に記載のセグメント型擁壁ブロック。
【請求項２２】
１つのアンカーユニットのキーの中心間距離が、２つの正面ユニットの隣接するキー溝の中心間距離と等しくなっており、前記アンカーユニットが、隣合わせに配置された２つの正面ユニットに組付可能となっている請求項２０に記載のセグメント型擁壁ブロック。
【請求項２３】
複数のセグメント型擁壁(SRW)ブロックを多段に積重ねて形成したモルタル塗りしていない擁壁において、
前記SRWブロックが、前記擁壁の露出面の一部を形成する前面と、２つの連結部とを有した正面ユニットと、
前記正面ユニットの連結部に対して相補形に形成された２つの連結部を有し、前記擁壁によって保持される盛土に対面するアンカーユニットとを具備しており、
前記アンカーユニットと正面ユニットの各々が上荷重支持面と下荷重支持面とを有し、前記上荷重支持面は、積重ねられたブロックの下荷重支持面と係合し、前記上下荷重支持面は隣接するSRWブロックの間の剪断力に抵抗するために概ね平坦に形成されており、前記剪断力は、前記擁壁によって保持される盛土によって前記SRWブロックに作用し、前記アンカーユニットおよび正面ユニットは、前記連結部を介して互いに組付けられたときに、該アンカーユニットおよび正面ユニットの内面によって前記上荷重支持面から前記下荷重支持面まで鉛直方向に延びる中空部が画成されるようになっており、
前記アンカーユニットと正面ユニットの少なくとも一方が、上に積重ねられたSRWブロックを隣接する下側のブロックに対して一直線上に位置決めするための少なくとも１つの位置決め要素を有しているモルタル塗りしていない擁壁。
【請求項２４】
前記SRWブロックの幾つかの前記少なくとも１つの位置決め要素が、リップ部、切欠部、ピン穴、スロットのうち１つである請求項２３に記載のモルタル塗りしていない擁壁。
【請求項２５】
前記SRWブロックの幾つかの前記少なくとも１つの位置決め要素が、前記正面ユニットに設けられたリップ部を含み、該リップ部は、正面ユニットの上方部前縁において横断方向に延設されており、該リップ部が、該擁壁によって保持される盛土によって前記SRWブロックに作用する剪断力に抵抗するようにした請求項２３に記載のモルタル塗りしていない擁壁。
【請求項２６】
前記SRWブロックの幾つかの前記正面ユニットが、該正面ユニットの下方部前縁において横断方向に延設された切欠部を含み、該切欠部が前記リップ部の高さ以下の高さを有している請求項２４に記載のモルタル塗りしていない擁壁。
【請求項２７】
該SRWブロックを用いて鉛直方向に延びる擁壁が形成されるように、前記横断方向に延びるリップ部の奥行きが、前記切欠部の奥行きと略等しくなっている請求項２５に記載のモルタル塗りしていない擁壁。
【請求項２８】
前記横断方向に延びるリップ部は、前記SRWブロックを用いて所定のセットバックを以て擁壁が形成されるように、前記横断方向に延びるリップ部が前記切欠部よりも大きな奥行きを有するように形成されされており、前記横断方向に延びるリップ部と切欠部との間の奥行きの差によって、前記SRWブロックより成る各段のセットバックの奥行きが決定されるようにした請求項２５に記載のモルタル塗りしていない擁壁。
【請求項２９】
前記SRWブロックの幾つかの前記少なくとも１つの位置決め要素が、前記アンカーユニットに設けられたリップ部を含み、該リップ部は、アンカーユニットの下方部後縁において横断方向に延設されており、該リップ部が、該擁壁によって保持される盛土によって前記SRWブロックに作用する剪断力に抵抗するようにした請求項２３に記載のモルタル塗りしていない擁壁。
【請求項３０】
前記SRWブロックの幾つかの前記アンカーユニットが、該アンカーユニットの上方部後縁において横断方向に延設された切欠部を含み、前記リップ部が該切欠部の奥行きと略等しい奥行きを有している請求項２７に記載のモルタル塗りしていない擁壁。
【請求項３１】
前記リップ部の高さが、前記切欠部の高さ以下となっている請求項２８に記載のモルタル塗りしていない擁壁。
【請求項３２】
前記アンカーユニットの各連結部は、前記正面ユニットの対応する連結部の形状および／または寸法に関して相補形に形成されている請求項１に記載のモルタル塗りしていない擁壁。
【請求項３３】
前記アンカーユニットの各連結部は、前記正面ユニットの対応する連結部の形状および／または寸法に関して相補形に形成されている請求項１２に記載の予め形成されたブロック要素。
【請求項３４】
前記アンカーユニットの各連結部は、前記正面ユニットの対応する連結部の形状および／または寸法に関して相補形に形成されている請求項１６に記載のセグメント型擁壁ブロック。
【請求項３５】
前記アンカーユニットの各連結部は、前記正面ユニットの対応する連結部の形状および／または寸法に関して相補形に形成されている請求項２３に記載のモルタル塗りしていない擁壁。
【発明の詳細な説明】
【技術分野】
【０００１】
本発明は、セグメント型擁壁ブロック（以下、単にSRWブロックと記載する）に関し、特に、複数の要素から成るセグメント型擁壁ブロック（以下、単に複数要素SRWブロックと記載する）に関する。
【背景技術】
【０００２】
擁壁は、通常、丘を形成する土のような高い所にある土を保持したり、その下に運動場や庭のような有用な平坦な表面を造成したり、或いは、見て美しい地形の輪郭を人工的に作るために用いられる。こうした擁壁は、これまで種々の形態のコンクリートブロックから作られてきており、該ブロックを盛土に対して積上げて擁壁を形成したり、或いは、セットバックを設けるようにしている。セットバックは、壁の中のある段が、同じ壁の下の段の正面よりも遠位に延設されるところの距離であると一般的にみなされている。コンクリートブロックは、モルタルを塗った或いは塗っていない多種多様の壁を作るために用いられてきた。こうしたブロックは、地面その他の支持基礎に載置するため或いは壁を立設するために下段のブロック上に載置するためにの平坦な矩形面を備えるように製造される。こうしたブロックは、また、平坦な或いは装飾性の前面、擁壁を形成するブロックの次の段を支持または死傷する平坦な上面を特徴としている。
【先行技術文献】
【特許文献】
【０００３】
【特許文献１】米国特許第5,484,236号明細書
【発明の概要】
【発明が解決しようとする課題】
【０００４】
この種の擁壁は、望ましい特徴、特に、擁壁の組立に関連して記述される特徴、つまり、擁壁の安定性（長期間に亘って構造の一体性を維持できる性能）や、雨水を受け入れ排出する性能を備える。擁壁ブロックは、通常、積重ねて鉛直方向に支持されるが、擁壁が支持する土壁から外方に移動しないように拘束することが重要である。
【０００５】
近時の製造技術および関連する経済性から、望ましい機能を提供するブロックの製造に用いられる形状、大きさおよび材料が制限される。異なる形状、大きさおよび色のブロックを異なる品質、タイプおよび価格の材料を用いて、ブロックを使用する場所から離れた中央集約的な場所で作ることが望ましい場合もある。これらの問題を解決して、擁壁ブロックの製造を改良することが望まれる。
【課題を解決するための手段】
【０００６】
本発明の幾つかの形態は、セグメント型擁壁(SRW)ブロック、特にモルタル塗りしていない擁壁を形成する複数要素SRWブロックに関連する。特定の形態では、複数のセグメント型擁壁(SRW)ブロックを多段に積重ねてモルタル塗りしていない擁壁が形成される。各SRWブロックは正面ユニットとアンカーユニットとを含む。前記正面ユニットは、前記擁壁の露出面の一部を形成する前面と、２つの連結部とを有する。アンカーユニットは、前記正面ユニットの連結部に対して相補形に形成された２つの連結部を有する。該アンカーユニットは、前記擁壁によって保持される盛土に対面する。前記アンカーユニットと正面ユニットの各々が上荷重支持面と下荷重支持面とを有し、前記上荷重支持面は、積重ねられたブロックの下荷重支持面と係合する。前記上下荷重支持面は隣接するSRWブロックの間の剪断力に抵抗するために概ね平坦に形成されている。前記アンカーユニットおよび正面ユニットは、前記連結部を介して互いに組付けられたときに、該アンカーユニットおよび正面ユニットの内面によって中空部が画成される。該中空部は、前記上荷重支持面から前記下荷重支持面まで鉛直方向に延びる。本発明の幾つかの形態では、前記アンカーユニットまたは正面ユニットが、上に積重ねられたSRWブロックを隣接する下側のブロックに対して一直線上に位置決めする位置決め要素を含み、該位置決め要素が、隣接する下側のブロックに対して前記SRWブロックに作用する剪断力に抵抗する。
【０００７】
本発明の幾つかの形態では、複数のセグメント型擁壁(SRW)ブロックから成るモルタル塗りしていない擁壁を形成するための予め形成されたブロック要素の供給を用いることができる。ブロック要素の供給は、複数の正面ユニットと複数のアンカーユニットとを含む。各正面ユニットは、前記擁壁の露出面の一部を形成する前面であって異なるパターンが形成されている前面を有している。各正面ユニットは２つの連結部とを有している。アンカーユニットは、前記擁壁によって保持される盛土に対面するようになっており、各アンカーユニットは、ユニバーサルデザインで、かつ、前記正面ユニットの連結部に対して相補形に形成された２つの連結部を有している。前記アンカーユニットおよび正面ユニットの各々は、前記連結部によって互いに組付けてセグメント型擁壁(SRW)ブロックとすることができる。前記アンカーユニットと正面ユニットの各々は、互いに組付けてSRWブロックを形成したときに、該アンカーユニットおよび正面ユニットの内面によって中空部が画成される。複数のSRWブロックを列状に積重ねて擁壁が形成される。
【０００８】
幾つかの形態では、複数の要素から成るSRWブロックによってモルタル塗りしていない擁壁を形成することができよう。SRWブロックは正面ユニットとアンカーユニットとを含む。正面ユニットは前面と該前面の反対側の後面とを有している。前記前面は、前記擁壁の露出面の一部を形成する。前記後面は、概ね平坦に形成され２つの連結部を形成する凹所を有している。アンカーユニットは第１と第２の脚部を有して略Ｕ字形に形成されており、該第１と第２の脚部の先端に前記正面ユニットの連結部に対して相補形に形成された２つの連結部が設けられている。該アンカーユニットは前記擁壁によって保持される盛土に対面する。前記アンカーユニットと正面ユニットの各々は、上荷重支持面と下荷重支持面とを有し、前記上荷重支持面は、積重ねられたブロックの下荷重支持面と係合する。前記上下荷重支持面は隣接するSRWブロックの間の剪断力に抵抗するために概ね平坦に形成されている。前記アンカーユニットおよび正面ユニットは、前記連結部を介して互いに組付けられる。組付けられると、該アンカーユニットおよび正面ユニットの内面によって前記上荷重支持面から前記下荷重支持面まで鉛直方向に延びる中空部が画成される。
【図面の簡単な説明】
【０００９】
【図１】本発明の実施形態による複数要素から成るセグメント型擁壁(SRW)ブロックによって造成されたモルタル塗りしていない擁壁の正面図である。
【図２Ａ】本発明の実施形態によるSRWブロックの正面斜視図である。
【図２Ｂ】本発明の実施形態による複数要素SRWブロックの底面図である。
【図３Ａ】本発明の実施形態によるSRWブロックの正面ユニットの頂面図である。
【図３Ｂ】図３Ａの正面ユニットの側面図である。
【図３Ｃ】図３Ａの正面ユニットの正面図である。
【図４Ａ】本発明の他の実施形態によるSRWブロックの正面ユニットの頂面図である。
【図４Ｂ】図４Ａの正面ユニットの側面図である。
【図４Ｃ】図３Ａの正面ユニットの正面図である。
【図５Ａ】本発明の更に他の実施形態によるSRWブロックの正面ユニットの頂面図である。
【図５Ｂ】図５Ａの正面ユニットの側面図である。
【図５Ｃ】図５Ａの正面ユニットの正面図である。
【図６Ａ】本発明の更に他の実施形態によるSRWブロックの正面ユニットの頂面図である。
【図６Ｂ】図６Ａの正面ユニットの側面図である。
【図６Ｃ】図６Ａの正面ユニットの正面図である。
【図７】本発明の実施形態によるSRWブロックの頂面図である。
【図８Ａ】本発明の実施形態によるSRWブロックのアンカーユニットの頂面図である。
【図８Ｂ】図８Ａのアンカーユニットの側面図である。
【図８Ｃ】図８Ａのアンカーユニットの正面図である。
【図８Ｄ】図８Ａのアンカーユニットの背面図である。
【図９】本発明の他の実施形態によるSRWブロックのアンカーユニットの側面図である。
【図１０】本発明の実施形態によるSRWブロックの頂面図である。
【図１１】本発明の他の実施形態によるSRWブロックの角部分の頂面図である。
【図１２】本発明の実施形態に複数要素SRWブロックを形成するための正面ユニットへのアンカーユニットの組付方法を示す斜視図である。
【図１３】積重ねた複数要素SRWブロックの側面図である。
【発明を実施するための形態】
【００１０】
以下、添付図面を参照して本発明の複数の特定実施形態を説明するが、以下の実施形態は本発明の範囲を制限する趣旨ではない。また、図面は（その旨特段の記載がない限り）実際の尺度では記載されておらず、単に、説明のための例を示すために用いられている。以下に説明する本発明の実施形態において、同様の構成要素には同じ参照番号が付されている。
【００１１】
以下の詳細な説明は本来単なる一例であって、決して本発明の範囲、用途または形態を限定する趣旨ではない。以下の説明は、本発明の一例としての態様を実施するための実際的な例示である。
【００１２】
図１は、本発明の実施形態による複数要素SRWブロック１２から作られた、モルタルを塗っていない擁壁１０の正面斜視図である。図示するように擁壁１０は、複数のSRWブロック１２から成る第１段１４と、該第１段１４の上に積重ねられた複数のSRWブロック１２から成る第２段１６とから成る。本発明の範囲内で段数に制限はない。第２段１６は、第１段１４に対してセットバック１８を以て組立てられている。更に後述するように、セットバックの程度は、本願発明の範囲において、セットバックを設けないことを含めてセットバックの大きさに制限はない。更に、第２段１６は、その全体を或いは第２段内において間欠的に、第１段１４に対して前方に配置するようにしてもよい。擁壁１０においてブロック１２の前面２０は、通常、図示するように露出している。擁壁１０においてブロック１２の背面２２は、通常、擁壁１０によって保持される盛土（図示せず）に対面しており見ることができない。盛土によって擁壁１０およびそのSRWブロック１２の背面には土圧が作用し、SRWブロック１２は前方に押圧されることは言うまでもない。
【００１３】
図２Ａは、本発明の実施形態による複数要素SRWブロック１２の正面斜視図である。図２Ｂは、本発明の実施形態による複数要素SRWブロック１２の底面図である。図示するように、SRWブロック１２は、正面ユニット２４とアンカーユニット２６の２つの要素から成る。正面ユニットとアンカーユニットは、各々の連結部によって互いに組付けられる。正面ユニット２４は、擁壁の露出面の一部を形成する前面２０を有している。正面ユニット２４は、また、後述する２つの連結部を有している。アンカーユニット２６は盛土を支承する背面２２を有しており、該背面２２によって盛土が保持される。アンカーユニット２６は、また、正面ユニットの連結部に対して相補的な寸法、形状の２つの連結部を有している。このように、相互に組付可能な２つの要素からSRWブロックを構成することには幾つかの利点がある。例えば、SRWブロックを移動、積重ねる者、或いは、製造から最終的な配置、擁壁造成までSRWブロックを取扱う者にとって、一体型ブロックを持上げ、移動し、そして正確に配置することよりも、SRWブロックは一層容易に持上げ、移動し、そして正確に配置することができる。複数の要素から成る構成の他の利点は後述する。
【００１４】
図１のSRWブロック１２は、外的支持構造なくして独立して立つことのできる自立構造である。つまり、擁壁を形成するためにモルタルは必要ない。図２Ａ、２Ｂを参照すると、SRWブロック１２は、該ブロックの頂部および底部が平行な荷重支持面となっている。上荷重支持面は、正面ユニットの上面３０と、アンカーユニットの上面３２によって形成される。下荷重支持面は、正面ユニットの下面３４と、アンカーユニットの下面３６によって形成される。荷重支持面は、前面２０および背面２２に対して横断方向に形成される。SRWブロック１２は、また、上面３０、３２および前面２０に対して横断方向に形成された側面３８を有している。本実施形態では、側面３８は、アンカーユニット２６によって形成されている。本実施形態では、側面３８は、下荷重支持面から上荷重支持面までSRWブロックの全高に亘って延在している。或いは、該側面は、上荷重支持面と下荷重支持面との間の全長に亘って延在させなくともよい。
【００１５】
正面ユニット２４およびアンカーユニット２６が、図２Ａ、２Ｂに示すように互いに組付けられると、複数要素SRWブロック１２には中空部４０が形成される。中空部４０は、下荷重支持面から上荷重支持面へSRWブロックを鉛直方向に貫通し、アンカーユニット２６と正面ユニット２４の内面によって画成される。中空部４０には幾つかの利点がある。第１に、中空部４０によってSRWブロックを製造するために必要な材料の量が低減され、コストが低減される。中空部４０は、また、耐荷力を犠牲にすることなく、SRWブロックの１平方フィート当たりの重量を低減する。この特徴によって、個々のSRWブロックを移動、積重ねる者、或いは、製造から最終的な配置、擁壁造成までSRWブロックを取扱う者にとっての負担は勿論、輸送の負担が低減される。擁壁内の各SRWブロック１２の中空部４０に岩石や土を充填して、土圧に対する擁壁の安定性を高め補強するようにできる。こうした充填材には、砕石やバインダーロック(binder rock)のような清浄な粒状裏込め材料や、例えば通常多量の粘土および塩類を含んだ黒土のような現場の土が含まれよう。後述するように、正面ユニットの連結部とアンカーユニットの連結部の相対的に配置することによって連結され、該連結は、中空部４０に充填材を入れることによって安定化する。つまり、上記連結部は、正面ユニット２４とアンカーユニット２６との間の鉛直方向の相対動作を許容するが、長手方向（前後方向）および横断方向（左右方向）へは正面ユニット２４とアンカーユニット２６との間の相対動作を概ね防止するようになっている。充填材によってSRWブロック１２は、中空部４０に内側から圧力が作用し、正面ユニット２４とアンカーユニット２６との間の全ての相対動作が更に拘束される。
【００１６】
更に、図２Ｂに示すように、前記連結部間の接触面に小さ間隙４２が設けられており、正面ユニット２４とアンカーユニット２６との間が緩く連結されるようになっている。間隙４２によってアンカーユニット２６と正面ユニット２４とを容易に組付け、SRWブロック１２を組立てることが可能となり、連結された状態でアンカーユニットと正面ユニットとの間の相対的な動作（遊び）が可能となる。この遊びによって、SRWブロック１２は、より良く下段や地形に適合するようにできる。
【００１７】
図３〜図７にSRWブロックの正面ユニットの異なる複数の実施形態を示す。図３Ａは、複数要素SRWブロックの正面ユニット２４の頂面図である。図３Ｂは、図３Ａの正面ユニット２４の側面図である。図３Ｃは図３Ａの正面ユニットの正面図である。図３Ａ〜図３Ｃを参照すると、正面ユニット２４は平行に対設された前面２０および後面２８と、平行に対設された上面３０および下面３４と、左右の側面４６、４４とを有している。上面３０および下面３４は、前面２０および後面２８に対して概ね横断しており、かつ、実質的に平面である。上面３０および下面３４は荷重支持面として作用し、上面３０は上に積重ねられた下面３４に係合し該下面を支持する。上面３０および下面３４は実質的に平坦であるので、正面ユニット２４はセットバックさせて或いはセットバックさせずに積重ねることができよう。前面２０は、擁壁の露出面の部分を形成する表面となる。前面２０には、図３Ｃに示すようなパターンを成形または形成することができよう。後面２８は概ね平面であり、アンカーユニットの連結部に組付ける２つの連結部４８が設けられている。図示する実施形態では、連結部４８は、後面２８に設けられた凹所またはポケットとして形成されている。該ポケットは、下面３４から上面３０まで正面ユニットの全高に亘って延設された細長いキー溝として形成されている。該キー溝は、然しながら、正面ユニット２４の全高に亘って延設されている必要はない。キー溝は、正面ユニット２４とアンカーユニットとの間の鉛直方向の相対動作を許容するが、他の方向の動作は概ね許容しない形状にて形成される。ポケットは、アンカーユニットの連結部に対して相補的な寸法、形状である限り、他の形状であってもよい。ポケットの底面５０を略平坦にすることによって、正面ユニット２４の無傷の部分を一層大きくすることができ、正面ユニットの強度が高まる。つまり、前記ポケットは、平底面５０による正面ユニット２４内への進入は、その奥行きの半分よりも少ない。連結部４８の間は後面の中央部分５２となっている。中央部分５２は、中空部４０の１つの内壁を形成する（図２Ｂ）。正面ユニットは、幅約３０５ｍｍ（1 foot）、奥行き約１５２ｍｍ（6 inch）、高さ約２０３ｍｍ（8 inch）である。後面２８の中央部分５２は幅約１０２ｍｍ（4 inch）であり、これは中空部の幅に一致する。図３Ａ〜図３Ｃに図示する実施形態では、正面ユニット２４の側面４６、４４は後方へ内側に傾斜している。このようにテーパー状に形成することによって、前面２０を他の前面に対して傾けて複数の正面ユニットを配置することが可能となる。例えば、正面から見て擁壁を凸状に作りたい場合に、テーパー状の側面４４、４６は、全ての正面ユニットを互いに傾けて配置するための逃げ面となる。他の実施形態では、後述するように、正面ユニットの側面の一方または双方を前面２０に対して直角となっている。
【００１８】
図４Ａは、本発明の代替実施形態による複数要素SRWブロックの正面ユニット１２４の頂面図である。図４Ｂは、図４Ａの正面ユニット１２４の側面図である。図４Ｃは、図４Ａの正面ユニット１２４の正面図である。図４Ａ〜図４Ｃの正面ユニット１２４は、後述する点を除いて図３Ａ〜図３Ｃの正面ユニットと同様である。該正面ユニットは、リップ部、切欠部、ピン穴、スロット等の１または複数の位置決め要素を有している。図４Ａ〜図４Ｃにおいて、正面ユニット１２４は、位置決め要素としてのリップ部１００を含んでいる。該リップ部は、正面ユニット１２４の上面３０の前縁において該上面３０の幅方向全長に亘って延設されている。正面ユニット１２４の下面３４は、リップや切欠を形成することなく平坦となっている。こうして、リップ部１００は、正面ユニット１２４を他の正面ユニットの上に配置させて複数要素SRWブロックから成る段を次に積重ねるときの最小限のセットバックを規定する。セットバックは、一般的に、壁のある段が、同じ壁の下の段の正面よりも遠位に延設されるところの距離であるとみなされている。図４Ａ〜図４Ｃの正面ユニットには、テクスチャが形成されている前面２０まで面取り部１０２が形成されている。
【００１９】
図５Ａは、本発明の代替実施形態による複数要素SRWブロックの正面ユニット２２４の頂面図である。図５Ｂは、図５Ａの正面ユニット２２４の側面図である。図５Ｃは、図５Ａの正面ユニット２２４の正面図である。図５Ａ〜図５Ｃの正面ユニット２２４は、後述する点を除いて図４Ａ〜図４Ｃの正面ユニットと同様である。図５Ａ〜図５Ｃにおいて、正面ユニット２４４は、図４Ａ〜図４Ｃのリップ部と同様のリップ部１００と、正面ユニット２２４の下面３４の前縁において該下面３４の幅方向全長に亘って延設された切欠部１０４から成る２つの位置決め要素を含んでいる。こうして、複数のブロックから成る各段のセットバックは、正面ユニット２４４において横断方向に延在するリップ部１００の奥行と切欠部１０４の奥行きとの間の差によって決定される。１つの段の全体または一部を下側の段に対して前方に配置するようにした実施形態もある。また、積重ねたブロックの荷重支持面が適正に着座するように、リップ部１００の高さを切欠部１０４の高さ以下とした実施形態もある。
【００２０】
図６Ａは、本発明の代替実施形態による複数要素SRWブロックの正面ユニット３２４の頂面図である。図６Ｂは、図６Ａの正面ユニット３２４の側面図である。図６Ｃは、図６Ａの正面ユニット３２４の正面図である。図６Ａ〜図６Ｃの正面ユニット３２４は、後述する点を除いて図３Ａ〜図３Ｃの正面ユニットと同様である。図６Ａ〜図６Ｃにおいて、正面ユニット３２４は位置決め要素として複数のピン穴１０６を含んでいる。ある実施形態では、ピン穴１０６は、正面ユニット３２４の全高に亘って鉛直方向に延設されている。正面ユニット３２４は、該正面ユニット３２４の１または複数のピン穴１０６が、隣接する下段または上段の正面ユニットの対応の１または複数のピン穴１０６と一直線上に並ぶように配置される。このような位置決めによって作られた鉛直方向に延びる長い通路は、土などの材料または鉄筋のような緊結部材によって充填される。こうして、ピン穴は積重ねたブロックを互いに位置決め、緊結するために用いられる。他の実施形態では、ピン穴１０６は、正面ユニットの全高に亘って形成されていない。ピン穴１０６は、正面ユニットの上面３０および下面３４の双方から途中まで延設される。こうした例では、ピン穴は、積重ねたブロックを短いピン（図示せず）によって位置決め、緊結するために用いられる。
【００２１】
図７は、本発明の他の実施形態による複数要素SRWブロックの正面ユニットの頂面図である。図７の正面ユニット４２４は、後述する点を除いて図３Ａ〜図３Ｃの正面ユニットと同様である。本実施形態では、２つのアンカーユニット２６と共に１つの幅広の正面ユニット４２４を用いてSRWブロックが形成される。幅広の正面ユニット４２４は、例えば図３、４に示した正面ユニットの２倍の幅を有している。背面２２は、概ね平坦で、かつ、２つのアンカーユニット２６の連結部と組合う４つの連結部を有している。図示する実施形態では、正面ユニット４２４の連結部は、背面２２の凹所またはポケットとして形成されている。
【００２２】
図８Ａは、本発明の他の実施形態による複数要素SRWブロックのアンカーユニットの頂面図である。図８Ｂは、図８Ａのアンカーユニットの側面図である。図８Ｃは、図８Ａのアンカーユニット２６の正面図である。図８Ｄは、図８Ａのアンカーユニット２６の背面図である。図８Ａの頂面図を参照すると、アンカーユニット２６は、後方部分６６に結合された第１と第２の脚部６０、６２を有して概ねＵ字形に形成されている。後方部分６６は背面２２を有している。該背面はSRWブロックの背面を形成すると共に、擁壁によって保持される盛土に対面する。第１と第２の脚部６０、６２は、後方部分６６の側縁６８から内側に配置されており、後方部分６６の中央部分７０によって連結されている。こうして、後方部分６６には、中央部分７０から外側に延びる外フランジ部７２が形成される。後方部分６６は、正面ユニットの最も広い部分よりも僅かに狭い幅を有しており、こうしたアンカーユニットおよび正面ユニットによって形成される擁壁が、正面から見て凸の曲面を形成できるようになっている。相対的に狭い後方部分６６は、アンカーユニット２６に邪魔されずに、正面ユニットを互いに傾けて配置可能とする逃げを提供する。後方部分６６は、正面ユニットの後面と概ね同じ幅を有している実施形態もある。或いは、後方部分６６が中央部分７０のみを有し、外フランジ部７２を備えない実施形態もある。図示する実施形態では、第１と第２の脚部６０、６２の先端には連結部７４が設けられている。連結部７４は、アンカーユニット２６の全高に亘って延設されたハンマー形のキーとして形成されている。然しながら、該キーは、アンカーユニット２６の全高に亘って延設される必要はない。該連結部は、正面ユニットの連結部に対して相補形に形成されており、それらと組合うようになっている。該２つの連結部７４は、同一の形状および／または寸法にて形成されている。然しながら、正面ユニットの連結部が、該アンカーユニットの連結部に組合う相補的な形状および／または寸法にて形成されている限り、該アンカーユニットの２つの連結部は同一の形状および／または寸法にて形成されていなくともよい。例えば、該アンカーユニットの連結部は、ハンマー形ではなく丸形であってもよい。
【００２３】
アンカーユニット２６の第１と第２の脚部６０、６２は、SRWブロックの外側面３８を形成する。図示する実施形態では、側面３８は、アンカーユニット２６の下荷重支持面３６から上荷重支持面３２までアンカーユニット２６の全高に亘って延設されている。荷重支持面３２、３６は実質的に平坦でかつ互いに平行となっており、後方部分に対して横断方向に形成されている。上荷重支持面３２は、隣接させて上側に積重ねられたSRWブロックの下荷重支持面３６に係合する。既述したように、図２Ａ、２Ｂに示すように、正面ユニットとアンカーユニットとを組付けて形成された複数要素SRWブロックは中空部４０を有している。該中空部は、部分的に第１と第２の脚部６０、６２の内面７６、７８および後方部分６６の前面８０によって形成される。或いは、アンカーユニット２６は、該アンカーユニットを持上げるときに便利な手掛かり部８２を第１と第２の脚部６０、６２に設けてもよい。図示する実施形態では、手掛かり部８２は、外側面３８の下方部分に設けられた凹所として形成されている。手掛かり部８２はによって形成してもよく、該突起部は外側面の下方部分以外の適当な位置（例えば、外側面の中央部分や上方部分）に配置するようにできる。
【００２４】
正面ユニットと同様に、アンカーユニットはリップ部、切欠部、ピン穴、スロット等の１または複数の位置決め要素を有している。図８Ａ〜図８Ｄにおいて、アンカーユニット２６は２つの位置決め要素を含んでいる。一方の位置決め要素は、アンカーユニット２６の後方部分６６において、幅方向全長に亘って延設されたリップ部８４として形成されている。第２の位置決め要素は、アンカーユニット２６の上面３２の後縁部において、幅方向全長に亘って延設された切欠部８６である。こうして、アンカーユニット２６のリップ部８４と切欠部８６とによって、SRWブロックから成る各段のセットバックが規定される。
【００２５】
図９は、本発明の他の実施形態による複数要素SRWブロックのアンカーユニット１２６の側面図である。本実施形態に示すように、位置決め要素を設けることなく形成することもできよう。こうした例では、セットバックは、リップ部或いは切欠部または対応の正面ユニットの他の要素に基づいて決定されよう。
【００２６】
図１０は、本発明の他の実施形態による複数要素SRWブロック２００の頂面図である。図１０のアンカーユニットは、後述する点を除いて、図８Ａ〜図８Ｄに示したアンカーユニットと同様である。アンカーユニット２２６は、図８Ａ〜図８Ｄのアンカーユニットよりも奥行きがある。より奥行きのあるアンカーユニットは、より重くかつ一層大きな荷重支持面を有しているので、作られる擁壁の安定性が高まる。従って、アンカーユニット２２６のような一層奥行きのあるアンカーユニットは、一層高く擁壁に適している。すなわち、一層高い擁壁の安定化を補助するために、ジオグリッドのような固着装置の代わりに或いは同固着装置に加えて、一層奥行きのあるアンカーユニットを用いることができよう。より奥行きのあるアンカーユニット２２６を強化するために、アンカーユニット２２６には、後方部分２６６によって形成される横部材に加えて横部材１０８が設けられている。アンカーユニット２２６には２つの横部材が設けられているように図示されているが、更なる横部材を用いることもできよう。
【００２７】
図１０の正面ユニットは、以下の点を除いて、図３Ａ〜図３Ｃに示した正面ユニットと同様である。正面ユニット５２４の一方の側面１１０が、図３Ａ〜図３Ｃに示した側面と同様に、後方へ内側に傾斜している。然しながら、正面ユニット５２４の反対側の側面１１２は、正面ユニット５２４の前面２０に対して概ね直角となっている。更に、反対側の側面１１２は、前面２０に調和するように仕上げられている。こうして、正面ユニット５２４は、擁壁の複数のブロックから成るある段の端のブロックまたは終端のブロックを形成するSRWブロックの一部として用いることができよう。前記一方の側面１１０によって、前面２０が他の前面に対して傾くように、この同じ正面ユニット５２４を配置可能とする。正面ユニット５２４とアンカーユニット２２６とを各々の連結部によって組付けると中空部４０が形成される。アンカーユニット２２６は、また、横部材間に第２の中空部１１４が形成されている。中空部１１４は、既述した中空部４０と同様に充填される。
【００２８】
図１１は、本発明の他の実施形態による複数要素SRWブロックの頂面図である。図１１は、１つの擁壁の中の複数のSRWブロックから成る１つの段の角部分を示している。図示するように、この角部分はアンカーユニット３２６、４２６、５２６、６２６に連結された正面ユニット６２４、７２４、８２４、９２４によって形成されている。正面ユニットは、図１０を参照して説明した正面ユニットである。例えば、正面ユニット７２４の一方の側面１１６が、湾曲した擁壁を造成可能とする図３Ａ〜図３Ｃのテーパー状の側壁と同様に後方へ内側に傾斜している。然しながら、正面ユニット７２４の反対側の側壁１１８は、該正面ユニット７２４の前面２０に対して概ね直角となっている。更に、該反対側の側壁１１８は前面２０と調和するように仕上げられている。こうして、正面ユニット７２４は、図１１に示すように、擁壁の１つの段の中のコーナーブロックまたは末端ブロックを形成するSRWブロックの一部として使用される。正面ユニット６２４、７２４、８２４、９２４の何れもコーナーブロックまたは末端ブロックとして使用することができよう。アンカーユニット３２６、４２６、５２６、６２６は図８Ａ〜図８Ｄのアンカーユニットと同様である。然しながら、アンカーユニット３２６、６２６は１つのアンカーユニットを２つに分割したものである。更に、アンカーユニット５２６を角部分に装着するために、該アンカーユニットの一方のフランジ部は除去されている。また、正面ユニットへのアンカーユニット４２６、５２６の組付けは方は、アンカーユニット４２６、５２６の連結部の中心間距離は、正面ユニット６２４、７２４、８２４の連結部の中心間距離に等しくなっていることを示している。このように正面ユニットおよびアンカーユニットを対称形状に作ることによって、１つのアンカーユニットを図１１に示すように隣接する２つの正面ユニットの間に連結することが可能となる。
【００２９】
図１２にアンカーユニットを正面ユニットに連結して本発明の実施形態による複数要素SRWブロック３００を形成する方法を示す。SRWブロック３００は、連結部を有した正面ユニット１０２４と、連結部を有したアンカーユニット８２６とから成る。図示するように、正面ユニット１０２４が所望位置に所望の方向に配置される。次いで、アンカーユニット８２６および正面ユニット１０２４の上面および下面が面一となるまで、アンカーユニット８２６の連結部が、矢印１２０で示すように、正面ユニットの連結部の溝内に滑り下ろされる。他の実施形態では、先ず、アンカーユニット８２６が配置され、次いで、正面ユニットが配置される。連結部の間には間隙４２（図２Ｂ）が設けられているので、アンカーユニット８２６は、比較的容易に正面ユニット１０２４に対して滑り下ろすことができる。更に、間隙４２によって、該ブロックの要素の一方または双方を組立後に少し移動させることが可能となり、アンカーユニット８２６および正面ユニット１０２４が配置される複数のSRWブロックから成る隣接する下側の段の上で位相安定的な位置を見つけることが可能となる。アンカーユニットと正面ユニットとの間の緩い嵌合を低減または除去するために、後に前記間隙は石や土などの材料によって埋められるであろう。このような充填作業は、SRWブロックの中空部４０の充填と同時に行うことができよう。
【００３０】
図１３は、擁壁または擁壁の少なくとも一部を形成するために積重ねられた複数要素SRWブロックの側面図である。ブロック４００は、複数のブロックから成る第１段に配置され、ブロック５００は、複数のブロックから成る第２段に配置されている。本発明の範囲内で段数に制限はないことは言うまでもない。ブロック５００は、ブロック４００に対してセットバック１２２を以て配置されている。後述するように、本発明の範囲内でセットバックは、セットバックを設けないことを含めて、どのような大きさであってもよい。ブロック４００、５００の前面２０は通常露出している。然しながら、ブロック４００、５００の背面２２は、通常、擁壁によって保持される盛土（図示せず）に対面しており見ることができない。盛土によってSRWブロック１２の背面２２には矢印１２８で示すように土圧が作用し、SRWブロック４００、５００は前方に押圧されることは言うまでもない。該複数要素SRWブロックの１または複数の特徴によって、擁壁の安定性が高まる。例えば、既述したように、アンカーユニットおよび正面ユニットの各々は上荷重支持面および下荷重支持面を有しており、上荷重支持面は、上側に積重ねられたSRWブロックの下荷重支持面に係合する。上下荷重支持面は概ね平坦とすることができる。ブロック４００、５００の間の接触面１３０にて示すように、ブロック４００の上荷重支持面およびブロック５００の下荷重支持面が略平坦であるので、接触面１３０の面積が増大して、そうでなければブロック５００がブロック４００の上荷重支持面沿いに滑ってしまうような盛土による剪断力１２８に対抗できる静止摩擦係数が提供される。こうした平坦面によって擁壁の安定性が高まる。更に、図１３に示すように、ブロック４００、５００はリップ部８４および切欠部８６を含んでいる。図８Ａ〜図８Ｄを参照して既述したように、リップ部８４は、アンカーユニットの下方部分後縁で横方向に延設されている。既述したように、ブロック５００のリップ部８４とブロック４００の切欠部８６とを合わせることによって、セットバック１２２が作られる。更に、該リップ部および切欠部は擁壁を更に安定させる。また、ブロック５００のリップ部８４とブロック４００の切欠部８６とを合わせることによって、そうでなければブロック５００がブロック４００の上荷重支持面沿いに滑ってしまうような盛土による剪断力１２８に抵抗する。
【００３１】
正面ユニットおよびアンカーユニットは、湿式成形法(wetcast)、乾式成形法(drycast)或いは押出成形法を含む種々の方法を用いて製造することができよう。例えば、正面ユニットまたはアンカーユニットは、グラヴィエール(Gravier)の米国特許第5,484,236号に示唆されているような方法によって製造可能である。米国特許第5,484,236号は、本願と一体をなすものとして参照する。ブロックの要素の外表面を規定する壁面を有し上方に開口した型箱がコンベアベルトに載置される。着脱自在の上型部分がブロックの要素の他の表面に一致するように形成されている。超硬練りコンクリートスラリーが型内に供給され、スラリーが型内部全体に分配されるように気を付けながら前記上型部分が装着される。次いで、型箱の前後壁および側壁と同様に上型部分が取外され、ブロックの要素は完全に硬化するように置かれる。ブロックが最終的に配置された向きによっては、上記の「上」との語は、実際上、下かもしれないし、或いは、他の表面かもしれない。同様のことは、下や側面といった記載にも言えることである。本発明のある実施形態では、種々のサイズの芯金を用いてアンカーユニットおよび正面ユニットが作られる。例えば、既述したリップ部、切欠部、ピン穴およびスロットなどの位置決め要素を形成するために、芯金を用いることができよう。本願の出願人に譲渡された米国特許第5,484,236号「コンクリート製擁壁ブロックを形成するための方法(METHOD OF FORMING CONCRETE RETAINING WALL BLOCK)」に開示されているような芯金の引込技術を採用して製造することもできよう。
【００３２】
ブロックの要素は完成したブロックよりも小さいので、単一の型箱の中で複数の要素を一度に形成することができよう。例えば、ブロックを対にして形成することが知られている。この方法では、複合ブロックが一対の実質的に同一のブロックに分割され、ブロック製造が効率化する。更に、複合ブロックを分割することによって、各ブロックの不規則で審美的に好ましいテクスチャを備えた前面が形成される。従って、成形した複合ブロックの分割には、単一の型から複数のブロックを効率的に製造するということと、そうして製造されたブロックが審美的に好ましい露出する前面を有しているという２つの機能がある。本発明の実施形態では、複合ブロックを分割してテクスチャを備えた前面を有する正面ユニットを形成するようにして、複数要素ブロックを形成することができよう。型箱の表面または型箱に挿入する分割プレートに種々のパターンをエンボス加工し、正面ユニットの前面に前記パターンがエンボス加工されるようにできよう。正面ユニットは、SRWブロック全体よりも小さく、かつ、舗装ブロックに似ているので、正面ユニットは、舗装ブロック製造機および舗装ブロック製造技術を用いて製造することができよう。例えば、表面配合物とベース配合物とを独立に用いて、「表面-ベース」舗装ブロック機で正面ユニットを製造することができよう。ある実施形態では、表面配合物は新しいコンクリートのような相対的に高品質材料で、ベース配合物はリサイクルコンクリートのような相対的に低品質材料とすることができよう。正面ユニットにおいてベース配合物の部分は、擁壁が造成されたときは見えなくなるので、こうした製造技術によってコストが削減されよう。ある実施形態では、正面ユニットの９０％を低品質のベース配合物から形成し、１０％の部分だけ高品質の表面配合物から形成することができよう。この方法にて正面ユニットを製造することによって、通常の擁壁ブロック製造プロセスに見られる高さ管理の問題が除去される。
【００３３】
用いる製造プロセスは別として、正面ユニットは、アンカーユニットを形成する材料とは異なる材料によって形成することができよう。例えば、アンカーユニットは擁壁が造成されたときは見えなくなるので、正面ユニットよりも相対的に低品質な材料から形成することができよう。つまり、正面ユニットとアンカーユニットの双方をコンクリートから形成することができるが、アンカーユニットは、より高い割合でリサイクル材料を使用することができよう。或いは、正面ユニットをコンクリート製とし、アンカーユニットをプラスチック製とすることもできよう。
【００３４】
アンカーユニットが、種々の異なるタイプまたはスタイルの正面ユニットと組合せることのできる一般的または汎用的な実施形態もある。従って、保持する正面ユニットの個数と比較して一層少ないアンカーユニットを備品目録中に保持するようにできよう。また、本発明の実施形態は、SRWブロックから成るモルタル塗りをしていない擁壁を造成するための予め形成されたブロック要素の供給を含む。該予め形成されたブロック要素は、異なるスタイルまたはパターンの正面ユニットと、相補的な連結部を介して該正面ユニットに組合せるユニバーサルデザインのアンカーユニットとを含む。
【００３５】
特定の実施形態を参照して本発明を説明した。然しながら、特許請求の範囲に記載する本発明の範囲から逸脱することなく、種々の修正と変更が可能であることは理解されよう。
【符号の説明】
【００３６】
１０    擁壁
１２    SRWブロック
１４    第１段
１６    第２段
１８    セットバック
２０    前面
２２    背面
２４    正面ユニット
２６    アンカーユニット
２８    後面
３０    上面
３２    上面
３４    下面
３６    下面
３８    側面
３８    外側面
４０    中空部
４２    間隙
４４    側面
４６    側面
４８    連結部
５０    底面
５２    中央部分
６０    脚部
６２    脚部
６６    後部分
６８    側縁
７０    中央部分
７２    外フランジ部
７４    連結部
７６    内面
７８    内面
８０    前面
８２    手掛かり部
８４    リップ部
８６    切欠部
１００    リップ部
１０２    面取り部
１０４    切欠部
１０６    ピン穴
１０８    横部材
１１０    側面
１１２    側面
１１４    中空部
１１６    側面
１１８    側壁
１２０    矢印
１２２    セットバック
１２４    正面ユニット
１２６    アンカーユニット
１２８    矢印
１２８    剪断力
１３０    接触面
２００    SRWブロック
２２４    正面ユニット
２２６    アンカーユニット
２４４    正面ユニット
２６６    後方部分
３００    SRWブロック
３２４    正面ユニット
３２６    アンカーユニット
４００    SRWブロック
５００    SRWブロック
４２４    正面ユニット
４２６    アンカーユニット
５２４    正面ユニット
５２６    アンカーユニット
６２４    正面ユニット
６２６    アンカーユニット
７２４    正面ユニット
８２４    正面ユニット
８２６    アンカーユニット
９２４    正面ユニット
１０２４    正面ユニット
【図１】
0005677965.tif 000002
【図２Ａ】
0005677965.tif 000003
【図２Ｂ】
0005677965.tif 000004
【図３Ａ】
0005677965.tif 000005
【図３Ｂ】
0005677965.tif 000006
【図３Ｃ】
0005677965.tif 000007
【図４Ａ】
0005677965.tif 000008
【図４Ｂ】
0005677965.tif 000009
【図４Ｃ】
0005677965.tif 000010
【図５Ａ】
0005677965.tif 000011
【図５Ｂ】
0005677965.tif 000012
【図５Ｃ】
0005677965.tif 000013
【図６Ａ】
0005677965.tif 000014
【図６Ｂ】
0005677965.tif 000015
【図６Ｃ】
0005677965.tif 000016
【図７】
0005677965.tif 000017
【図８Ａ】
0005677965.tif 000018
【図８Ｂ】
0005677965.tif 000019
【図８Ｃ】
0005677965.tif 000020
【図８Ｄ】
0005677965.tif 000021
【図９】
0005677965.tif 000022
【図１０】
0005677965.tif 000023
【図１１】
0005677965.tif 000024
【図１２】
0005677965.tif 000025
【図１３】
0005677965.tif 000026